【手続補正書】
【提出日】平成19年6月29日(2007.6.29)
【手続補正１】
【補正対象書類名】明細書
【補正対象項目名】特許請求の範囲
【補正方法】変更
【補正の内容】
【特許請求の範囲】
【請求項１】  基材と、該基材の少なくとも一つの表面上のフォトクロミックポリ(メタ)アクリルコーティングを組み合わせて含んで成る物品であって、前記コーティングが、
(a)(i)第１のモノマーであって、以下の式で表されるもの、
【化１】
2003504651.tif 000001
（式中、Ｒ１はそれぞれ水素またはメチルであり、Ｒ２はそれぞれ水素またはＣ１〜Ｃ２アルキルであり、ｍおよびｎはそれぞれ正の数であって、ｍとｎの和は３以上１５以下であり、そしてＡは、直鎖または分岐鎖アルキレン、フェニレン、Ｃ１〜Ｃ９アルキル置換フェニレン、および以下の式で表される基
【化２】
2003504651.tif 000002
（ここで、Ｒ３はそれぞれＣ１〜Ｃ４アルキル、塩素または臭素でありｐおよびｑはそれぞれ、０〜４の整数であり、
【化３】
2003504651.tif 000003
は、２価のベンゼン基または２価のシクロヘキサン基を表し、および
【化４】
2003504651.tif 000004
が２価のベンゼン基であれば、Ｘは、Ｏ、Ｓ、-Ｓ(Ｏ２)-、-Ｃ(Ｏ)-、-ＣＨ２-、-ＣＨ＝ＣＨ-、-Ｃ(ＣＨ３)２-、-Ｃ(ＣＨ３)(Ｃ６Ｈ５)-または
【化５】
2003504651.tif 000005
であり、そして
【化６】
2003504651.tif 000006
が２価のシクロヘキサン基であれば、Ｘは、Ｏ、Ｓ、-ＣＨ２-または-Ｃ(ＣＨ３)２-である。）から成る群から選択される２価の結合基である。）、および(ii)以下の式で表される第２のモノマー
【化７】
2003504651.tif 000007
（式中、Ｒ１はそれぞれ水素またはメチルであり、ｘ、ｙおよびｚはそれぞれ０〜１５以下の数であり、およびｘとｙとｚの和は、３以上１５以下である。）
から選択される少なくとも２種の２官能(メタ)アクリレートモノマー、
(b)前記モノマーの合計重量に対して０．５〜４０．０重量％のフォトクロミック成分、および
(c)前記モノマーの合計重量に対して０〜１０重量％の、熱開始剤、光開始剤、またはこれら開始剤の混合物から選択される重合開始剤
の重合物から本質的に構成されており、前記コーティングが、2,4-ジフェニル-4-メチル-1-ペンテン、ドデシルメルカプタン、ブチルメルカプタン、ジイソプロペニルベンゼンおよびチオフェノールから成る群より選択される物質を実質上有さず、しかもフィッシャー微小硬度５０〜１５０Ｎ／ｍｍ２、３０秒で少なくとも０．１５および１５分で少なくとも０．５０のΔＯＤ、および漂白速度２００秒以内を示すものであり、前記数値がいずれも２２℃（７２°Ｆ）で測定されたものである、物品。
【請求項２】  (a)第１のモノマーにおいて、Ｒ１がそれぞれメチルであり、Ｒ２がそれぞれ水素であり、２価の結合基Ａが以下の式で表されること、
【化８】
2003504651.tif 000008
（ここで、
【化９】
2003504651.tif 000009
は、２価のベンゼン基であり、ｐおよびｑはそれぞれ０であり、およびＸは、-Ｃ(ＣＨ３)２-である。）、および
(b)第２のモノマーにおいて、Ｒ１がそれぞれメチルであり、ｘが３以上１５以下であり、そしてｙおよびｚがそれぞれ０であること
を特徴とする請求項１記載の物品。
【請求項３】  重合開始剤が、ペルオキソモノカーボネートエステル、ペルオキシジカーボネートエステル、ジアシルペルオキサイド、ペルオキシエステル、メチルエチルケトンペルオキサイド、アセチルシクロヘキサンスルホニルペルオキサイド、アゾビス(イソブチロニトリル)、2,2'-アゾビス(2,4-ジメチルペンタンニトリル)、1,1'-アゾビスシクロヘキサンカルボニトリル、アゾビス(2,4-ジメチルバレロニトリル)、またはこれら開始剤の混合物から選択される熱重合開始剤である請求項１記載の物品。
【請求項４】  熱重合開始剤が、2,2'-アゾビス(2,4-ジメチルペンタンニトリル)、1,1'-アゾビスシクロヘキサンカルボニトリル、またはこれらの混合物である請求項３記載の物品。
【請求項５】  重合開始剤が、アセトフェノン、α-アミノアルキルフェノン、ベンゾインエーテル、ベンゾイルオキシム、アシルホスフィンオキサイド、ビスアシルホスフィンオキサイド、またはこれら開始剤の混合物から選択される光開始剤である請求項１記載の物品。
【請求項６】  重合開始剤が、ベンゾフェノン、ミヒラーケトン、チオキサントン、アントラキノン、カンファーキノン、フルオロン、ケトクマリン、またはこれら開始剤の混合物から選択される光開始剤である請求項１記載の物品。
【請求項７】  重合開始剤が、水素供与体物質を更に含有する請求項６記載の物品。
【請求項８】  重合開始剤が、カチオン光開始剤を更に含有する請求項６記載の物品。
【請求項９】  フォトクロミック成分が、
(a)４００ｎｍ〜５２５ｎｍに認識できるλmaxを有する少なくとも１種のフォトクロミック化合物、および
(b)５２５ｎｍを超え７００ｎｍまでに認識できるλmaxを有する少なくとも１種のフォトクロミック化合物
を含有する請求項１記載の物品。
【請求項１０】  フォトクロミック化合物が、ベンゾピラン、ナフトピラン、フェナントロピラン、キノピラン、インデノ-融合されたナフトピラン、ベンズオキサジン、ナフトオキサジン、スピロ(インドリン)ピリドベンズオキサジン、金属−ジチゾナート、フルギド、フルギミド、またはこれらの混合物である請求項９記載の物品。
【請求項１１】  硬化したコーティングが厚さ５〜２００μｍを有する請求項１記載の物品。
【請求項１２】  厚さが１０〜１００μｍである請求項１１記載の物品。
【請求項１３】  基材が、紙、ガラス、セラミック、木、石造りのもの、織物、金属、またはポリマー有機材料である請求項１記載の物品。
【請求項１４】  ポリマー有機材料が、ポリ(メチルメタクリレート)、ポリ(エチレングリコールビスメタクリレート)、ポリ(エトキシル化ビスフェノールＡジメタクリレート)、熱可塑性ポリカーボネート、ポリ(酢酸ビニル)、ポリビニルブチラール、ポリウレタン、ポリチオウレタン、およびジエチレングリコールビス(アリルカーボネート)モノマー、ジエチレングリコールジメタクリレートモノマー、エトキシル化フェノールメタクリレートモノマー、ジイソプロペニルベンゼンモノマー、エトキシル化トリメチロールプロパントリアクリレートモノマー、およびこれらの混合物の重合体から成る群より選択される固体の透明なポリマーである請求項１３記載の物品。
【請求項１５】  基材が光学要素である請求項１４記載の物品。
【請求項１６】  光学要素がレンズである請求項１５記載の物品。
【請求項１７】  前記レンズの屈折率が１．４８〜２．００である請求項１６記載の物品。
【請求項１８】  (a)(i)第１のモノマーであって、以下の式で表されるもの、
【化１０】
2003504651.tif 000010
（式中、Ｒ１はそれぞれ水素またはメチルであり、Ｒ２はそれぞれ水素またはＣ１〜Ｃ２アルキルであり、ｍおよびｎはそれぞれ正の数であって、ｍとｎの和は３以上１５以下であり、そしてＡは、直鎖または分岐鎖アルキレン、フェニレン、Ｃ１〜Ｃ９アルキル置換フェニレン、および以下の式で表される基
【化１１】
2003504651.tif 000011
（ここで、Ｒ３はそれぞれ、Ｃ１〜Ｃ４アルキル、塩素または臭素であり、ｐおよびｑはそれぞれ、０〜４の整数であり、
【化１２】
2003504651.tif 000012
は、２価のベンゼン基または２価のシクロヘキサン基を表し、および
【化１３】
2003504651.tif 000013
が２価のベンゼン基であれば、Ｘは、Ｏ、Ｓ、-Ｓ(Ｏ２)-、-Ｃ(Ｏ)-、-ＣＨ２-、-ＣＨ＝ＣＨ-、-Ｃ(ＣＨ３)２-、-Ｃ(ＣＨ３)(Ｃ６Ｈ５)-または
【化１４】
2003504651.tif 000014
であり、そして
【化１５】
2003504651.tif 000015
が２価のシクロヘキサン基であれば、Ｘは、Ｏ、Ｓ、-ＣＨ２-または-Ｃ(ＣＨ３)２-である。）から成る群から選択される２価の結合基である。）、および(ii)以下の式で表される第２のモノマー
【化１６】
2003504651.tif 000016
（式中、Ｒ１はそれぞれ水素またはメチルであり、ｘ、ｙおよびｚはそれぞれ０〜１５以下の数であり、およびｘとｙとｚの和は、３以上１５以下である。）
から選択される少なくとも２種の２官能(メタ)アクリレートモノマー、
(b)前記モノマーの合計重量に対して０．５〜４０．０重量％のフォトクロミック成分、および
(c)前記モノマーの合計重量に対して０〜１０重量％の、熱開始剤、ＵＶ光開始剤、またはこれら開始剤の混合物から選択される重合開始剤
から本質的に構成される組成物の重合物を含有する物品であって、前記組成物が、2,4-ジフェニル-4-メチル-1-ペンテン、ドデシルメルカプタン、ブチルメルカプタン、ジイソプロペニルベンゼンおよびチオフェノールから成る群より選択される物質を実質上有しないものであり、前記重合物が、フィッシャー微小硬度５０〜１５０Ｎ／ｍｍ２、３０秒で少なくとも０．１５および１５分で少なくとも０．５０のΔＯＤ、および漂白速度２００秒以内を示し、数値がいずれも２２℃（７２°Ｆ）で測定されたものである、物品。
【請求項１９】  物品がレンズである請求項１８記載の物品。
【請求項２０】  物品が、少なくとも０．５ｍｍの厚さを有する請求項１９記載の物品。